(57)【要約】【課題】汎用性に優れたカバー装置を提供する。【解決手段】カバー装置31は、建物１の外面部のうちサッシ枠体６のサッシ縦枠８とシャッタ枠体21のガイドレール22との間に位置する被覆い部分30を覆う。カバー装置31は、シャッタ枠体21のガイドレール22に取り付けるベース体41を備える。ベース体41には、被覆い部分30を覆う断面略Ｌ字状のカバー体42を左右方向に移動調節可能に取り付ける。カバー体42には、延長カバー体を前後方向に移動調節可能に取り付ける。【選択図】図１
2008013918.tif 000002
【特許請求の範囲】
【請求項１】
第１開閉装置用枠体と第２開閉装置用枠体との間に位置する被覆い部分を覆うカバー装置であって、
前記第１開閉装置用枠体および前記第２開閉装置用枠体のいずれか一方に取り付けられるベース体と、
このベース体に移動調節可能に取り付けられ、前記被覆い部分を覆うカバー体と
を備えることを特徴とするカバー装置。
【請求項２】
ベース体は、挿入部を有し、
カバー体は、前記挿入部が出し入れ可能に挿入されたべース被挿入部を有し、
前記べース被挿入部に対する前記挿入部の出し入れにより、前記カバー体が前記ベース体に対して相対的に移動調節可能となっている
ことを特徴とする請求項１記載のカバー装置。
【請求項３】
カバー体に移動調節可能に取り付けられた延長カバー体を備える
ことを特徴とする請求項１または２記載のカバー装置。
【請求項４】
延長カバー体は、挿入部を有し、
カバー体は、前記挿入部が出し入れ可能に挿入された延長カバー被挿入部を有し、
前記延長カバー被挿入部に対する前記挿入部の出し入れにより、前記延長カバー体が前記カバー体に対して相対的に移動調節可能となっている
ことを特徴とする請求項３記載のカバー装置。
【発明の詳細な説明】
【技術分野】
【０００１】
本発明は、第１開閉装置用枠体と第２開閉装置用枠体との間に位置する被覆い部分を覆うカバー装置に関するものである。
【背景技術】
【０００２】
例えば住宅等の建物に窓シャッタ等のシャッタ装置を後付けした場合、建物の外面部のうちサッシ装置のサッシ縦枠とシャッタ装置のガイドレールとの間に位置する部分が露出する（例えば、特許文献１参照）。
【０００３】
そして、従来では、現場ごとに異なる形状のカバー部材（化粧部材）を工場で製作し、その製作したカバー部材を対応する現場に運んで、建物の外面部にその露出部分を覆うように取り付けている。
【特許文献１】実開平２−１４３４９９号公報（第１図）
【発明の開示】
【発明が解決しようとする課題】
【０００４】
しかしながら、上記従来のように、現場ごとに異なる形状のカバー部材を工場で製作するのでは、製作されたある形状のカバー部材は、対応する現場でしか使用できず、汎用性に欠ける。
【０００５】
本発明は、このような点に鑑みなされたもので、汎用性に優れたカバー装置を提供することを目的とする。
【課題を解決するための手段】
【０００６】
請求項１記載のカバー装置は、第１開閉装置用枠体と第２開閉装置用枠体との間に位置する被覆い部分を覆うカバー装置であって、前記第１開閉装置用枠体および前記第２開閉装置用枠体のいずれか一方に取り付けられるベース体と、このベース体に移動調節可能に取り付けられ、前記被覆い部分を覆うカバー体とを備えるものである。
【０００７】
請求項２記載のカバー装置は、請求項１記載のカバー装置において、ベース体は、挿入部を有し、カバー体は、前記挿入部が出し入れ可能に挿入されたべース被挿入部を有し、前記べース被挿入部に対する前記挿入部の出し入れにより、前記カバー体が前記ベース体に対して相対的に移動調節可能となっているものである。
【０００８】
請求項３記載のカバー装置は、請求項１または２記載のカバー装置において、カバー体に移動調節可能に取り付けられた延長カバー体を備えるものである。
【０００９】
請求項４記載のカバー装置は、請求項３記載のカバー装置において、延長カバー体は、挿入部を有し、カバー体は、前記挿入部が出し入れ可能に挿入された延長カバー被挿入部を有し、前記延長カバー被挿入部に対する前記挿入部の出し入れにより、前記延長カバー体が前記カバー体に対して相対的に移動調節可能となっているものである。
【発明の効果】
【００１０】
請求項１に係る発明によれば、ベース体とこのベース体に移動調節可能に取り付けられたカバー体とを備えるため、ベース体に対するカバー体の移動調節によって各現場毎に異なる第１開閉装置用枠体と第２開閉装置用枠体との間の寸法に対応でき、汎用性に優れている。
【００１１】
請求項２に係る発明によれば、べース被挿入部に対する挿入部の出し入れによって、カバー体をベース体に対して容易に移動調節できる。
【００１２】
請求項３に係る発明によれば、カバー体に移動調節可能に取り付けられた延長カバー体を備えるため、より一層汎用性に優れている。
【００１３】
請求項４に係る発明によれば、延長カバー被挿入部に対する挿入部の出し入れによって、延長カバー体をカバー体に対して容易に移動調節できる。
【発明を実施するための最良の形態】
【００１４】
本発明のカバー装置の一実施の形態を図面を参照して説明する。
【００１５】
図１ないし図４において、１はＲＣ造或いはＡＬＣ造の住宅等の建物で、この建物１は、略矩形状の窓開口部等の開口部２を備え、この開口部２は内側（室内側）の第１開閉装置であるサッシ装置３と外側（室外側）の第２開閉装置であるシャッタ装置４とによって開閉可能となっている。
【００１６】
なお、図１、図２、図７においては、図中上方が室外側、下方が室内側とし、図３、図４においては、図中左方が室外側、右方が室内側としている。
【００１７】
サッシ装置３は、建物１に固着された略矩形環状の第１開閉装置用枠体であるサッシ枠体６と、このサッシ枠体６の枠内に左右方向に移動可能に取り付けられ開口部２を開閉する複数の戸体（第１開閉体）７とを備えている。
【００１８】
サッシ枠体６は、所定距離を介して互いに離間対向して位置する上下方向長手状の左右のサッシ縦枠８と、両サッシ縦枠８の上端部間に位置する左右方向長手状のサッシ上枠９と、両サッシ縦枠８の下端部間に位置する左右方向長手状のサッシ下枠10とを有している。サッシ上枠９は戸体７の上端部を案内する上ガイドレール部11を有し、サッシ下枠10は上ガイドレール部11と離間対向して位置し戸体７の下端部を案内する下ガイドレール部12を有している。
【００１９】
シャッタ装置４は、例えば後付けタイプの窓シャッタ装置等で、建物１の施工後にこの建物１に対して取付け可能な構成となっている。そして、シャッタ装置４は、建物１に固着された略矩形環状の第２開閉装置用枠体であるシャッタ枠体21を備えている。
【００２０】
シャッタ枠体21は、所定距離を介して互いに離間対向して位置する上下方向長手状の左右のガイドレール22と、両ガイドレール22の上端部間に位置する左右方向長手状の上枠であるまぐさ23と、両ガイドレール22の下端部間に位置する左右方向長手状の下枠24とを有している。
【００２１】
また、シャッタ装置４は、両ガイドレール22にて案内されながら昇降して開口部２を開閉するシャッタカーテン（第２開閉体）25と、このシャッタカーテン25を巻き取る巻取体（図示せず）と、開口部２の開口時にシャッタカーテン25を収容するシャッタボックス26とを備えている。
【００２２】
そして、建物１の外面部（躯体壁部）のうちサッシ枠体６のサッシ縦枠８とシャッタ枠体21のガイドレール22との間に位置する露出部分である開口部２左右の被覆い部分30が左右それぞれの縦カバー装置（カバー装置）31によって覆われ（図１参照）、建物１の外面部のうちサッシ枠体６のサッシ上枠９とシャッタ枠体21のまぐさ23との間に位置する露出部分である被覆い部分32が横カバー装置（カバー装置）33によって覆われ（図３参照）、建物１の外面部のうちサッシ枠体６のサッシ下枠10とシャッタ枠体21の下枠24との間に位置する露出部分である被覆い部分34がカバー部材35にて覆われている（図４参照）。
【００２３】
ここで、縦カバー装置31は、図１および図２に示されるように、サッシ枠体６およびシャッタ枠体21のいずれか一方、例えばシャッタ枠体21のガイドレール22の平板部22aにねじ等の固着具40にて固着された上下方向長手状のベース体41と、このベース体41に対して左右方向に移動調節可能に取り付けられサッシ縦枠８とガイドレール22との間の被覆い部分30を覆う上下方向長手状のカバー体42とを備えている。
【００２４】
なお、図７に示すように、建物１の外壁面からサッシ縦枠８までの入込寸法Ａが所定値（例えば８ｃｍ）より大きく、カバー体42のみでは被覆い部分30を覆うことができない場合には、上下方向長手状で略平板状の延長カバー体43をカバー体42に対して前後方向（シャッタカーテン25の厚さ方向）に移動調節可能に取り付け、それらカバー体42と延長カバー体43とによって被覆い部分30を覆うようにする。
【００２５】
ベース体41は、図１に示されるように、断面略Ｌ字状をなすもので、シャッタ枠体21のガイドレール22の平板部22aに固着された取付板部45と、この取付板部45にこの取付板部45に対して直角状に一体に設けられた板状の挿入部46とを有している。挿入部46の一面、例えば被覆い部分30側の面には、上下方向に延びる複数の凹溝部47が形成されている。
【００２６】
延長カバー体43は、図７に示されるように、被覆い部分30を覆うカバー板部48と、このカバー板部48にこのカバー板部48と略平行状に一体に設けられた板状の挿入部49とを有している。挿入部49の一面、例えば被覆い部分30側の面には、ベース体41と同様、上下方向に延びる複数の凹溝部50が形成されている。
【００２７】
カバー体42は、例えば略直角に折り曲げられたコーナ部51を有する化粧カバー52と、化粧カバー52のコーナ部51にねじ等の固着具53にて固着された化粧カバー取付ピース54とによって構成されている。
【００２８】
カバー体42は、ベース体41の挿入部46が挿入される凹状のべース被挿入部55と、このベース被挿入部55にコーナ部51を介して設けられ延長カバー体43の挿入部49が挿入される凹状の延長カバー被挿入部56とを有している。
【００２９】
ベース被挿入部55には、上下方向に延びる複数、例えば２本の凸条部55aが形成され、凸条部55aと凹溝部47との係合によってカバー体42がベース体41に対して相対的に位置決めされる。なお、凸条部55aおよび凹溝部47のいずれか一方が、複数であれば他方は単数とすることも複数とすることも可能である。また、凸条部55aおよび凹溝部47は、それぞれ縦カバー装置31の長手方向全体にわたって形成されていてもよいし、互いに上下方向の少なくとも一部分で係合可能であれば部分的に形成されていてもよい。
【００３０】
また、延長カバー被挿入部56には、上下方向に延びる複数、例えば２本の凸条部56aが形成され、凸条部56aと凹溝部50との係合によって延長カバー体43がカバー体42に対して相対的に位置決めされる。なお、凸条部56aおよび凹溝部50のいずれか一方が、複数であれば他方は単数とすることも複数とすることも可能である。また、凸条部56aおよび凹溝部50は、それぞれ縦カバー装置31の長手方向全体にわたって形成されていてもよいし、互いに上下方向の少なくとも一部分で係合可能であれば部分的に形成されていてもよい。延長カバー被挿入部56の端縁部には、延長カバー体43の挿入部49が延長カバー被挿入部56内から抜け出るのを防止する抜出防止用凸条部56bが形成されている。また延長カバー被挿入部56の端縁部は、建物外壁面とシーリング処理部分の少なくとも一部を覆う。
【００３１】
そして、図１に示すように、カバー体42のベース被挿入部55にベース体41の挿入部46が出し入れ可能に挿入され、べース被挿入部55に対する挿入部46の出し入れによりカバー体42がベース体41に対して左右方向に移動調節可能となっている。また、図７に示すように、カバー体42の延長カバー被挿入部56に延長カバー体43の挿入部49が出し入れ可能に挿入され、延長カバー被挿入部56に対する挿入部49の出し入れにより延長カバー体43がカバー体42に対して前後方向に移動調節可能となっている。
【００３２】
なお、固着具53がねじの場合、ねじの締緩により、化粧カバー52に対して化粧カバー取付ピース54を固着したり離間したりすることを調節できるため、カバー体42のべース被挿入部55に対するベース体41の挿入部46の移動調節のしやすさや、カバー体42の延長カバー被挿入部56に対する延長カバー体43の挿入部の移動調節のしやすさを調節することができる。
【００３３】
横カバー装置33は、図３に示されるように、上述した縦カバー装置31と同一構成のもので、サッシ枠体６およびシャッタ枠体21のいずれか一方、例えばシャッタ枠体21のまぐさ23の平板部23aにねじ等の固着具60にて固着された左右方向長手状のベース体61と、このベース体61に対して上下方向に移動調節可能に取り付けられサッシ上枠９とまぐさ23との間の被覆い部分32を覆う左右方向長手状のカバー体62とを備えている。
【００３４】
なお、図示しないが、建物１の外壁面からサッシ上枠９までの入込寸法が所定値より大きく、カバー体62のみでは被覆い部分32を覆うことができない場合には、図７に示すものと同一形状の略平板状の延長カバー体をカバー体62に対して前後方向（シャッタカーテン25の厚さ方向）に移動調節可能に取り付け、それらカバー体62と延長カバー体とによって被覆い部分32を覆うようにする。
【００３５】
ベース体61は、断面略Ｌ字状をなすもので、まぐさ23の平板部23aに固着された取付板部65と、この取付板部65にこの取付板部65に対して直角状に一体に設けられた板状の挿入部66とを有している。挿入部66の一面、例えば被覆い部分32側の面には、左右方向に延びる複数の凹溝部67が形成されている。
【００３６】
カバー体62は、コーナ部71を有する化粧カバー72と、化粧カバー72のコーナ部71にねじ等の固着具73にて固着された化粧カバー取付ピース74とによって構成され、カバー体62はベース体61の挿入部66が挿入される凹状のべース被挿入部75とこのベース被挿入部75にコーナ部71を介して設けられ延長カバー体の挿入部を挿入する凹状の延長カバー被挿入部76とを有している。
【００３７】
ベース被挿入部75には、左右方向に延びる複数、例えば２本の凸条部75aが形成され、凸条部75aと凹溝部67との係合によってカバー体62がベース体61に対して相対的に位置決めされる。なお、凸条部75aおよび凹溝部67のいずれか一方が、複数であれば他方は単数とすることも複数とすることも可能である。また、凸条部75aおよび凹溝部67は、それぞれ横カバー装置33の長手方向全体にわたって形成されていてもよいし、互いに上下方向の少なくとも一部分で係合可能であれば部分的に形成されていてもよい。また、延長カバー被挿入部76には、左右方向に延びる複数、例えば２本の凸条部76aが形成され、凸条部76aと凹溝部との係合によって延長カバー体がカバー体62に対して相対的に位置決めされる。延長カバー被挿入部76の端縁部には、延長カバー体の挿入部が延長カバー被挿入部76内から抜け出るのを防止する抜出防止用凸条部76bが形成されている。
【００３８】
そして、カバー体62のベース被挿入部75にベース体61の挿入部66が出し入れ可能に挿入され、べース被挿入部75に対する挿入部66の出し入れによりカバー体62がベース体61に対して上下方向に移動調節可能となっている。
【００３９】
なお、延長カバー体を用いてカバー体62の延長カバー被挿入部76に延長カバー体の挿入部を出し入れ可能に挿入した場合には、カバー体62の延長カバー被挿入部76に対する挿入部の出し入れによって延長カバー体をカバー体62に対して前後方向に移動調節可能である。
【００４０】
なお、固着具73がねじの場合、ねじの締緩により、化粧カバー72に対して化粧カバー取付ピース74を固着したり離間したりすることを調節できるため、カバー体62のべース被挿入部75に対するベース体61の挿入部66の移動調節のしやすさや、カバー体62の延長カバー被挿入部76に対する延長カバー体43の挿入部の移動調節のしやすさを調節することができる。
【００４１】
カバー部材35は、図４に示されるように、サッシ枠体６のサッシ下枠10の傾斜板部10aに脚部80を介して固着された取付板部81と、この取付板部81の室外側前端部から下方に向って突出しサッシ下枠10とシャッタ枠体21の下枠24との間の被覆い部分34を覆うカバー板部82と、このカバー板部82の下端部から後方に向って突出する突出板部83とを有している。
【００４２】
また、図３および図５に示すように、縦カバー装置31の上端部と横カバー装置33の左右方向端部との間の間隙が樹脂製等の上部キャップ86にて覆われている。
【００４３】
上部キャップ86は、互いに直交する第１板部87および第２板部88を有し、これら第１板部87および第２板部88には、複数、例えば互いに平行な長孔89が形成されている。そして、例えばねじ等の固着具90が第１板部87の長孔89に挿入されて縦カバー装置31のカバー体42の上端近傍にねじ込まれる等することによって、上部キャップ86が縦カバー装置33のカバー体42に対して固着されている。なお、固着具90を挿入する孔は、長孔89でなく、丸孔でもよい。
【００４４】
さらに、図４および図６に示すように、縦カバー装置31の下端部とカバー部材35の左右方向端部との間の間隙が樹脂製等の下部キャップ91にて覆われている。
【００４５】
下部キャップ91は、互いに直交する第１板部92および第２板部93を有し、第１板部92は水平板部分94および垂直板部分95を有する断面略Ｌ字状に形成され、垂直板部分95には複数、例えば２つの丸孔である孔96が形成されている。そして、例えばねじ等の固着具97が第１板部92の垂直板部分95の孔96に挿入されて縦カバー装置31のカバー体42の下端近傍にねじ込まれる等することによって、下部キャップ91が縦カバー装置31のカバー体42に対して固着されている。なお、固着具97を挿入する孔は、丸孔96でなく、長孔でもよい。
【００４６】
そして、上記のような縦カバー装置31および横カバー装置33によれば、シャッタ枠体21に対するベース体41，61の固着位置の調節、ベース体41，61に対するカバー体42，62の移動調節、カバー体42，62に対する延長カバー体43の移動調節によって、各現場毎に異なるサッシ装置３とシャッタ装置４との間の寸法に適切に対応できるため、汎用性に優れ、各現場における被覆い部分30，32を確実に覆うことができる。
【００４７】
また、縦カバー装置31の各構成部材および横カバー装置33の各構成部材等を、サッシ枠体６およびシャッタ枠体21と同一材料、例えばアルミニウム等の金属材料で形成することによって、見栄えをより一層向上させることができる。さらに、シャッタ枠体21に対するベース体41，61の固着位置は、室外側から見えにくい窪んだ部分にあるので、ねじ等の固定具40，60は室外側から見えにくく、固定具40，60で見栄えが悪くなることもない。
【００４８】
なお、上記実施の形態では、ベース体41，61をシャッタ枠体21に取り付ける場合について説明したが、例えばベース体41，61をサッシ枠体６に取り付け、この取り付けたベース体41，61にカバー体42，62を移動調節可能に取り付けるようにしてもよい。
【００４９】
また、先にベース体41，61をシャッタ枠体21またはサッシ枠体６に取り付け、その後、ベース体41，61にカバー体42，62を取り付けるようにしてもよいし、また、先にベース体41，61をカバー体42，62に取り付け、さらに移動調整した後に、カバー体42，62が取り付けられているベース体41，61をシャッタ枠体21またはサッシ枠体６に取り付けるようにしてもよい。
【００５０】
さらに、カバー体42，62がベース体41，61に対して移動調節可能とする構造におけるベース被挿入部55，75と挿入部46，49との相対的な位置決めの構造は、凹凸の係合には限定されず、平坦面同士の係合によるもの等でもよい。
【００５１】
また、例えばカバー部材35に用いず、縦カバー装置31と同一構成のものを用いて、建物１の外面部のうちサッシ下枠10と下枠24との間の被覆い部分34を覆うようにしてもよい。
【００５２】
さらに、第１開閉装置がサッシ装置３で、第２開閉装置がシャッタ装置４である場合には限定されず、各開閉装置は、シャッタ装置、サッシ装置、扉装置、引戸装置、雨戸装置、ブラインド装置、スライディングウォール装置、スクリーン装置、網戸装置、ガラリ装置、防煙垂れ幕装置、防煙垂れ壁装置、防潮板装置、オーニング装置等、或いはこれら装置のうちの同種または異種を複数並設したもの等でもよい。また、第１開閉装置であるサッシ装置３と第２開閉装置であるシャッタ装置４とは、例えば前後入れ換えて配置してもよい。
【図面の簡単な説明】
【００５３】
【図１】本発明の縦カバー装置でサッシ縦枠とガイドレールとの間を覆った状態を示す横断面図である。
【図２】同上縦カバー装置の分解断面図である。
【図３】本発明の横カバー装置でサッシ上枠とまぐさとの間を覆った状態を示す縦断面図である。
【図４】カバー部材でサッシ下枠と下枠との間を覆った状態を示す縦断面図である。
【図５】上部キャップで縦カバー装置の上端部と横カバー装置の端部との間を覆った状態を示す斜視図である。
【図６】下部キャップで縦カバー装置の下端部と横カバー装置の端部との間を覆った状態を示す斜視図である。
【図７】延長カバー体を用いて縦カバー装置でサッシ縦枠とガイドレールとの間を覆った状態を示す横断面図である。
【符号の説明】
【００５４】
６    第１開閉装置用枠体であるサッシ枠体
21    第２開閉装置用枠体であるシャッタ枠体
30，32    被覆い部分
31    カバー装置である縦カバー装置
33    カバー装置である横カバー装置
41，61    ベース体
42，62    カバー体
43    延長カバー体
46，49，66    挿入部
55，75    ベース被挿入部
56，76    延長カバー被挿入部
【図１】
2008013918.tif 000003
【図２】
2008013918.tif 000004
【図３】
2008013918.tif 000005
【図４】
2008013918.tif 000006
【図５】
2008013918.tif 000007
【図６】
2008013918.tif 000008
【図７】
2008013918.tif 000009